(57)【要約】【課題】  おんぶした際、上着におんぶ紐の通り口を設ける事で見た目の悪さを解消し、単独でも使用出来る上着を提供する。【解決手段】  上着の両肩の後身頃を前身頃と重なり合うように広く裁ち、留め具を用いて開閉自在となるようにし、また両脇の下で、前身頃と後身頃が重なり合う分（まち）を広く裁ち、留め具を用いて開閉自在となる事を特徴とした。これは、おんぶ紐が肩と脇の下の部分から前身頃内側へ通り抜け、そこで紐を締めるための紐の通り口である。おんぶする際  紐の通り口へおんぶ紐を導き前身頃内部で締結した後、留め具を固定する事で強調されていたバスト部分とウエストラインが前身頃内部に隠れるため見た目の悪さを解消出来る。また、肩と脇の下のおんぶ紐通り口は必要に応じて開閉自在であるため、上着単独としての役目も果たす。【選択図】図１
0003148142.tif 000002
【実用新案登録請求の範囲】
【請求項１】
上着の両肩の後身頃前身頃と重なり合うように広く裁ち、留め具を用いて開閉自在となるようにし、また両脇の下で、前身頃と後身頃が重なり合う分（まち）を広く裁ち、留め具を用いて開閉自在となる事を特徴としたおんぶ用上着。
【請求項２】
両脇の下にのみまちと留め具を設けた、請求項１のおんぶ用上着。
【請求項３】
上記おんぶ用上着の、後身頃の広く裁った箇所へパットを設けた、請求項１、または請求項２のおんぶ用上着。
【考案の詳細な説明】
【技術分野】
【０００１】  本考案は、上着におんぶした際の見た目の悪さを解消出来る機能を組み合わせたおんぶ用上着に関するものである。
【背景技術】
【０００２】  おんぶ紐を使用する際、紐を胸元でクロスし、腹部で締結するため、バスト部分と  ウエストライン周辺が強調されていた。それを隠す事が出来るようにしたおんぶ用上着が知られている。（例えば特開２００５−１７１４６３）
【特許文献１】特開２００５−１７１４６３号公報
【考案の開示】
【考案が解決しようとする課題】
【０００３】  上記特開２００５−１７１４６３のものは、後身頃に開口部を設け背中心で切り離し、留め具を用いている。使用方法はおんぶをした後に装着し、後身頃の留め具で固定する。そのため、次のような問題点があった。
（い）お洒落を目的とした上着として単独で使用出来ない。
（ろ）装着及び赤ちゃんを降ろす際後身頃の首の部分と腰の部分の留め具に手を伸ばさなければならないので容易ではない。
（は）外出先でおんぶをする事を考慮した時、上着を携帯しなければならない。
従って、本考案は上記の問題点を解消したおんぶ用上着を提供する事が目的である。
【課題を解決するための手段】
【０００４】  本考案は、上着の両肩の後身頃を前身頃と重なり合うように広く裁ち、留め具を用いて開閉自在となるようにし、また両脇の下で、前身頃と後身頃が重なり合う分（まち）を広く裁ち、留め具を用いて開閉自在となる事を特徴とした。これは、おんぶの際に紐が肩と脇の下の部分から前身頃内側へ通り抜け、そこで紐を締めるための紐の通り口を設けたものである。
【考案の効果】
【０００５】  上記特徴により、おんぶする際には通り口におんぶ紐を導く事で強調されていたバスト部分と腹部が前身頃内部に隠れ、脇腹周辺は前身頃のまちでおんぶ紐を覆い、後身頃の腰付近で留める事で隠れる。また、留め具の配置が手の届き易い場所にあるので開閉が容易に出来る。更に肩と脇の下のおんぶ紐通り口は必要に応じて開閉自在であるため、上着単独としての役目も果たすばかりではなく、着用したままでおんぶした際の見た目の悪さを解消出来る。従って、着用して外出すれば上着を携帯する必要はない。また本考案の機能の要旨内であれば、あらゆるデザインの上着に対応できるため、ワンパターン化しがちな専用着と違い、選択肢が多く、個々の好みでパターンを選択出来る。
【考案を実施するための最良の形態】
【０００６】  以下、図面を参照しながら説明する。
本考案のおんぶ用上着は、まずそのまま着用する。そして上着の脇の下の留め具１−４、２−４を外した状態で赤ちゃんをおんぶし、おんぶ紐を脇の下の通り口へ通し、上着の前身頃内側で締める。この時、脇の下後身頃のまち部分２はおんぶ紐の下部に来る。おんぶが安定したら肩の留め具ｃ−４、ｄ−４も外し、肩の前身頃とまち部分ｄ−１でおんぶ紐を覆い、両肩、両脇の下の留め具４を使用して閉じる。後の実施例１で説明する、前身頃が中心から左右に分かれ留め具があるものならば、おんぶ紐を締結するまでの状態を容易に確認出来るため最も好ましい形状と思われるがこれに限ったものではない。この状態で赤ちゃんを降ろす時は前身頃内部に手を入れるか、上着の留め具をそれぞれ外しおんぶ紐を見える状態にしてから弛める。【０００７】  また、請求項３に記した後身頃の広く裁った箇所３、５へパットを設けたものについては、おんぶした際に両肩と両脇の部位に掛かる負荷を和らげる事を目的としているものだが、おんぶ紐によっては既にその機能を持ち合わせているものもあるため、必要に応じて使い分けするものとする。願わくば、後身頃の広く裁った箇所３、５へパット専用のポケットを作り、出し入れ自在に出来れば使用目的の選択肢が増えて尚良い。【０００８】  前記形態のおんぶ用上着は、肩と脇の下の２カ所におんぶ紐の通り口を設けたものであるが、上着の形状によって、脇の下のみ、まちと留め具を設けた請求項２の形態のものとを使い分けるものとする。但し、この形態の場合、肩の部分が前身頃で覆われないため、おんぶ紐が襟ぐりで見える状態になるが、バスト部分及びウエスト周辺は確実に前身頃内部に隠れるので問題は解消されている。これは後の実施例２で説明する。また、留め具については用途に合わせてボタン、マジックテープ、スナップ、もしくは短い紐等で締結するなどして使い分け出来る。
【実施例１】
【０００９】  以下、図面に従って実施例を説明する。
本考案の上着を着用しておんぶする時は前身頃中心部の留め具６と脇の部分の留め具１−４と２−４を解放した状態にする。おんぶ紐は脇の下の通り口を通り、前身頃内部で締める。おんぶが安定したら肩の部分の留め具４を解放し、肩部分の前身頃とまち部分ｄ−１で覆い、それぞれ留め具で固定する。
赤ちゃんを降ろす時は、前身頃中心の留め具６を外し、胸元のおんぶ紐をしっかり掴み、締結した紐を解く。
上記は上着の前身頃が中心で左右に切れ分かれているジップアップ式のもので、丸首の形状の上着を請求項１に関して実施したものである。
【実施例２】
【００１０】  以下請求項２の実施例を説明する。
着用からおんぶまでの手順は実施例１と同様。この実施例２の場合は、単に肩の部分３、４が無いため解放する作業が必要ない。但し、肩の部分が前身頃で覆われないため、おんぶ紐が襟ぐりで見える状態になる。赤ちゃんを降ろす時は、襟ぐりから見えているおんぶ紐７を胸元でしっかり掴み、前身頃内部に手を入れ締結した紐を解く。この実施例２は、Ｖ字ネックの形状の上着を請求項２に関して実施したものである。【００１１】  これまで実施例１、２について説明したが、考案の効果で記したように、形態の選択肢はこれだけに限定されるものではない。また、装着の手順等についても個々の最適な状態を選択して使用出来る事は言うまでもない。
【図面の簡単な説明】
【００１２】
【図１】本考案の展開図。（ａ）は前身頃の説明図。（ｂ）は後身頃の説明図。
【図２】本考案の使用状態を実施例１で表した説明図。（ｃ）は正面から見た様子。（ｄ）は横から見た様子。
【図３】本考案の使用状態を実施例２で表した説明図。
【図４】本考案の使用状況の背面図。また、全ての図に共通して黒く塗りつぶしてあるものは外観から見えてるおんぶ紐、点線は内部の状態を表す。
【符号の説明】
【００１３】  １    前身頃のまち
２    後身頃のまち
３    後身頃の肩部分を広く裁ったもの
４    留め具
５    パット
６    前身頃のジップアップ部分
７    襟ぐりから見えているおんぶ紐
【図１】
0003148142.tif 000003
【図２】
0003148142.tif 000004
【図３】
0003148142.tif 000005
【図４】
0003148142.tif 000006
【手続補正書】
【提出日】平成20年7月11日(2008.7.11)
【手続補正１】
【補正対象書類名】明細書
【補正対象項目名】０００８
【補正方法】変更
【補正の内容】
【０００８】  前記形態のおんぶ用上着は、肩と脇の下の２カ所におんぶ紐の通り口を設けたものであるが、上着の形状によって、脇の下のみ、まちと留め具を設けた請求項２の形態のものとを使い分けるものとする。但し、この形態の場合、肩の部分が前身頃で覆われないため、おんぶ紐が襟ぐりで見える状態になるが、バスト部分及びウエスト周辺は確実に前身頃内部に隠れるので問題は解消されている。これは後の実施例２で説明する。また、留め具については用途に合わせてボタン、面ファスナー、スナップ、もしくは短い紐等で締結するなどして使い分け出来る。